(57)【要約】【課題】棚板の下の空間を有効活用することができ、棚受け具の利便性を向上させること。【解決手段】  本実施例に係る棚受け具は、壁面Ｗに取り付けられる支持体１の下方に、棚板受けアーム２を水平に接合・固定し、棚板受けアーム２の基部の下面を支えるように吊掛具４を固定してある。棚板受けアーム２は、断面略方形状の押出形材で、下面に開口し前後方向に連続する凹溝状のレール部１６を設けてあり、レール部１６に前後方向に移動可能な引掛具３を設けてある。【選択図】図２
2015164492.tif 000002
【特許請求の範囲】
【請求項１】
壁面等の取付面に取り付けられる支持体の前方に、棚板を取り付けられる棚板受けアームを設けた棚受け具において、棚板受けアームには、下面に開口し前後方向に連続する凹溝状のレール部を設けて、レール部に前後方向に移動可能な引掛具を設けたことを特徴とする棚受け具。
【請求項２】
引掛具は、回動可能でレール部に収納することができるようにした請求項１記載の棚受け具。
【請求項３】
引掛具の後方位置に吊掛具を設けた請求項１又は２記載の棚受け具。
【発明の詳細な説明】
【技術分野】
【０００１】
本発明は、２つを１組として壁面等の取付面に取り付けて使用する棚受け具に関するものである。
【背景技術】
【０００２】
従来より、特開平７−２４３号発明のように、支持体に取り付けられる棚板受けアームの下面に引掛具を設けた棚受け具は提案されている。
【先行技術文献】
【特許文献】
【０００３】
【特許文献１】特開平７−２４３号公報
【発明の概要】
【発明が解決しようとする課題】
【０００４】
上記従来例においては、引掛具が設けられているものの、前後位置を移動することができないものであり、そこに掛けるものによって、異なる使いやすい位置に前後位置を変更して対応することができず、棚板の下の空間を有効利用できないという問題がある。従って、本発明の課題は、通常は邪魔にならないように壁面に近い後方位置で引掛具を使用し、濡れているタオルを干す場合等には、２つの引掛具を前方に移動してポールを掛け渡して、乾きやすくするため壁面から離した位置に掛けたいといった要望に応えられるようにすることである。
【課題を解決するための手段】
【０００５】
本発明は、上記の問題を解決するものであり、請求項１の発明においては、壁面等の取付面に取り付けられる支持体の前方に、棚板を取り付けられる棚板受けアームを設けた棚受け具において、棚板受けアームには、下面に開口し前後方向に連続する凹溝状のレール部を設けて、レール部に前後方向に移動可能な引掛具を設けたことを特徴とする棚受け具であり、請求項２の発明においては、引掛具は、回動可能でレール部に収納することができるようにした請求項１記載の棚受け具であり、請求項３の発明においては、引掛具の後方位置に吊掛具を設けた請求項１又は２記載の棚受け具である。
【発明の効果】
【０００６】
以上のように請求項１の発明によれば、棚受けアームのレール部に前後方向に移動可能な引掛具を設けたので、通常は引掛具を壁の近いところに位置させ、邪魔にならないようそこにものを掛け、濡れたタオル等の乾かしたいものがある時は、２つの引掛具を前方に移動してポールを掛け渡して、壁面から離した位置でポールに干して乾き易くすることができる等、そこにかけるものによって前後位置を移動させて使用でき、棚板の下の空間を有効活用することができ、棚受け具の利便性を向上させることができるという効果がある。
【０００７】
また、棚板を棚受けアームに固定する時に、棚受けアーム下面の凹溝状のレール部から、上方に向けて凹溝の上板にねじ止めできるので、ねじが凹溝状のレール部内に隠れ、ねじ隠しのキャップ等を必要とせずに、見映えを悪化させないという効果もある。
【０００８】
請求項２の発明によれば、さらに、引掛具を使用しない時にはレール部に収納することができるので、美観を損なうことがないと共に、再び使用する時に探したり、紛失したりする心配もないという効果がある。
【０００９】
請求項３の発明によれば、さらに、引掛具の後方位置に吊掛具を設けたので、後方の吊掛具にいろいろなものを掛けた時に、その前方にある一対の引掛具にポールを通して、カフェカーテンを取り付ければ、吊掛具に掛けたものを隠して美観の向上を図ることができるという効果がある。
【図面の簡単な説明】
【００１０】
【図１】棚受け具の全体斜視図である。
【図２】棚板を取り付け、引掛具が使用可能な状態の縦断面図である。
【図３】引掛具を収納した状態の縦断面図である。
【図４】棚受け具の分解斜視図である。
【実施例１】
【００１１】
本実施例に係る棚受け具は、壁面Ｗに取り付けられる支持体１の下方に、棚板受けアーム２を水平に接合・固定し、棚板受けアーム２の基部の下面を支えるように吊掛具４を固定し、棚板受けアーム２の下面には、前後方向に移動可能な引掛具３を設けてある。
【００１２】
支持体１は、接続板部９がやや長い断面略Ｈ型の押出形材で、接続板部９には、上部に方形の掛孔１８、中間部に上下に２つ縦に並んだ円形の取付孔１９・１９、中間よりやや下部に２つ横に並んだ円形の取付孔２０・２０及び下部に円形の取付孔２１を設けてあり、取付具５によって壁面Ｗに取り付けられるものである。
【００１３】
棚板受けアーム２は、断面略方形状の押出形材で、下面に開口し前後方向に連続する凹溝状のレール部１６を設けてあり、レール部１６に前後方向に移動可能な引掛具３を設けてある。また、凹溝状のレール部１６の上板は断面ハット状になっており、その頂上板の前端部に切欠部２４を設け、さらに、前端部には、アームキャップ７が被着されている。アームキャップ７は、棚板受けアーム２に収納される部分に、取り付けのためのねじ孔３０、引掛具３を収納保持する保持部３１及び引掛具３が回動する位置で当接する当接部３２を設けてある。
【００１４】
引掛具３は、鉤状の引掛部２６を設け、その上部に棚受けアーム２のレール部１６に摺動可能かつ回動可能に保持される軸部２５を設け、さらにその上端部に操作部３３を設けてある。
【００１５】
吊掛具４は、引掛具３の後方に位置して支持体１にねじ１３で固定され、略三角形状で貫通孔を設けて引掛部１７としてあり、棚板受けアーム２にかかる力を受けると共に、引掛部１７に小物を引っ掛けたりポールを掛け渡して掛けられるようになっている。
【００１６】
取付具５は、縦長の略方形状の板状体で、上端を鉤型に折り曲げて掛受部２９を形成してあり、上部をピン１０で壁面に仮付けされ、垂直片に設けた４箇所の孔に、上下に斜面を設けた山型の固定具８・・・８を嵌めてピン２７・・・２７で固定される。また、取付具５には下部の２箇所に円形のバーリング加工したねじ孔２８・２８を設けてある。
【００１７】
棚受けアーム２には、レール部１６に端部から引掛具３の軸部２５を挿入して取り付け、端部にアームキャップ７を、その一端を挿入して取付孔２３からねじ１４をねじ孔３０にねじ込んで取り付ける。そして、この棚受けアーム２を、支持体１に直角にあてがい、座金３５を介して取付孔２０・２０からねじ１２・１２で取り付け、さらに棚受けアーム２の下に、吊掛具４をあてがって取付孔２１からねじ１３で支持体１に取り付ける。
【００１８】
取付具５をピン２７・・・２７で壁面Ｗに固定し、棚受けアーム２及び吊掛具４を取り付けた支持体１を、その掛孔１８を掛受部２９に引っ掛けて、取付孔１９・１９からねじ１１・１１をねじ孔２８・２８にねじ込んで取り付け、支持体１の前面を覆い隠すカバー３４を嵌めて、最後に支持体１の上端部に上部キャップ６を嵌合して取り付ける。そして、２つを一対として取り付けられた棚受け具の棚受けアーム２・２の上に棚板Тを掛け渡して載置し、取付孔２２・・・２２からねじ１５・・・１５で固定して使用する。
【００１９】
そして、引掛具３は、レール部１６を吊掛具４の先端部とアームキャップ７の当接部３２の間で移動可能で、当接部３２に当接した位置で、前方に回動させると引掛部２６が切欠部２４を通って保持部３１に挟持されて、引掛部２６は棚板受けアーム２のレール部１６に収納され、操作部３３がレール部１６の下面から少し突出した状態となる。引掛具３を突出させる時は、操作部３３を下から押せば、引掛部２６が保持部３１から外れて突出し使用可能な状態となる。
【００２０】
引掛具３は、そこに掛けるものによって、その前後位置を移動させて使用することができ、吊掛具４の引掛部１７に掛けたものを隠したい時は、引掛具３・３にポールを掛け渡して、そこにカフェカーテンを掛けることもできる。
【符号の説明】
【００２１】
１    支持体
２    棚板受けアーム
３    引掛具
４    吊掛具
１６    レール部
【図１】
2015164492.tif 000003
【図２】
2015164492.tif 000004
【図３】
2015164492.tif 000005
【図４】
2015164492.tif 000006